(57)【要約】【課題】生産コストを低減することができると共に、組み付け作業を容易にすることができるスライド操作型電気部品を提供すること。【解決手段】収納部を形成するケース２およびカバー３と、収納部内に配置され、係合突起５７を設けた一対の板バネ部５６を有するクリックバネ５と、収納部内にスライド移動可能に保持されると共に、一対の板バネ部５６の係合突起５７に係脱する一対の係脱部を有するスライダ４とを備え、スライダ４のスライド移動時に係合突起５７と係脱部とが係脱してクリックを発生させるスライド操作型電気部品１において、クリックバネ５の一対の板バネ部５６の両端部を連結して構成した。【選択図】図２
2010033844.tif 000002
【特許請求の範囲】
【請求項１】
収納部を有するハウジングと、前記収納部内に配置され、係合突起を設けた一対の弾性片を有する弾性手段と、前記収納部内にスライド移動可能に保持されると共に、前記一対の弾性片の係合突起に係脱する一対の係脱部を有するスライダとを備え、前記スライダのスライド移動時に前記係合突起と前記係脱部とが係脱してクリックを発生させるスライド操作型電気部品において、
前記弾性手段は、前記一対の弾性片の両端部を連結して構成されたことを特徴とするスライド操作型電気部品。
【請求項２】
前記一対の弾性片の両端部は、断面Ｕ字状に連結され、
前記ハウジングは、前記一対の弾性片の両端部が係合される突部を設けたことを特徴とする請求項１に記載のスライド操作型電気部品。
【請求項３】
前記スライダは、スライド移動方向に延在する凹部を有し、
前記一対の弾性片は、前記凹部の内側に配置されたことを特徴とする請求項１または請求項２に記載のスライド操作型電気部品。
【請求項４】
前記一対の係脱部は、前記凹部の内壁にスライド移動方向に所定間隔を空けて設けられた一対の係合凹部を有し、
前記一対の弾性片は、前記係合突起をそれぞれ前記内壁側に向けて配置されたことを特徴とする請求項３に記載のスライド操作型電気部品。
【請求項５】
前記一対の弾性片は金属製であり、
前記一対の係脱部は、前記一対の係合凹部の間に配設された金属製の補強板を有することを特徴とする請求項４に記載のスライド操作型電気部品。
【請求項６】
前記凹部の内側に配置された一対の弾性片は、スライド移動方向に延在し、前記一対の弾性片の底面は、中間部が両端部よりも高い位置にあることを特徴とする請求項４または５に記載のスライド操作型電気部品。
【請求項７】
前記ハウジングは、箱型形状に形成され、
前記ハウジングの側壁には、前記一対の弾性片の端部近傍に切欠き部が形成されていることを特徴とする請求項１から６のいずれかに記載のスライド操作型電気部品。
【請求項８】
前記一対の弾性片は、金属板が環状に打ち抜き加工された後、板面同士を対向するように折り曲げ加工されて形成されることを特徴とする請求項１から７のいずれかに記載のスライド操作型電気部品。
【請求項９】
前記一対の弾性片の前記係合突起の裏側に、前記一対の弾性片に弾性力を付与する一対の補助用弾性片を有する補助弾性手段を備え、
前記一対の補助用弾性片の両端部が連結されたこと特徴とする請求項１から８のいずれかに記載のスライド操作型電気部品。
【請求項１０】
上面が開口された有底箱形状のケースと前記ケースの開口に装着されて収納部を形成するカバーとを有するハウジングと、前記収納部内にスライド移動可能に保持されると共に、スライド移動方向に延在する凹部を有するスライダと、スライド移動方向に延在し、底面の中間部が両端部よりも高い位置となるように形成され、係合突起を設けた一対の弾性片を有する弾性手段と、前記一対の弾性片の前記係合突起の裏側に、前記一対の弾性片に弾性力を付与する一対の補助用弾性片を有する補助弾性手段とを備え、前記凹部の内壁には前記一対の弾性片の係合突起に係脱する一対の係脱部が設けられており、前記スライダのスライド移動時に前記係合突起と前記係脱部とが係脱してクリックを発生させるスライド操作型電気部品において、
前記ケースの収納部に前記凹部を前記開口に向けた状態で前記スライダが載置され、
前記一対の補助用弾性片の両端部は、断面Ｕ字状に連結され、前記ケースに設けられた突部に嵌合されて、前記一対の補助用弾性片が前記スライダの前記凹部の上方をスライド移動方向に横断するように配置され、
前記一対の弾性片の両端部は、断面Ｕ字状に連結され、前記一対の弾性片が前記一対の補助用弾性片を挟み込むようにして、前記スライダの前記凹部の上方をスライド移動方向に横断するように配置され、
前記収納部に前記スライダ、前記一対の補助用弾性片および前記一対の弾性片が収納された状態で、前記カバーが前記ケースに装着されることを特徴とするスライド操作型電気部品。
【発明の詳細な説明】
【技術分野】
【０００１】
本発明は、音楽プレーヤや携帯電話等の携帯機器に搭載されるスライド操作型電気部品に関する。
【背景技術】
【０００２】
従来、このようなスライド操作型電気部品として、操作部のスライド操作時にクリック感を付与するものが知られている（例えば、特許文献１参照）。このスライド操作型電気部品は、ハウジングと、ハウジング内をスライド移動するスライダと、スライダを挟んで平行に配置された一対の板バネとを備えて構成されている。スライド操作型電気部品においては、一対の板バネの対向面に係合突起が形成され、スライダの側面に複数の凹凸面が連続して形成されており、スライダの移動時にスライダに形成された凹凸面が一対の板バネの係合突起に係脱することにより、スライダにクリック感を付与している。
【特許文献１】特公平１−３９６０７号公報
【発明の開示】
【発明が解決しようとする課題】
【０００３】
しかしながら、特許文献１に記載のスライド操作型電気部品においては、一対の板バネを個々に組み付ける必要があり、部品点数が増加して生産コストが増加すると共に、組み付け作業が煩雑となるという問題があった。
【０００４】
本発明は、かかる点に鑑みてなされたものであり、生産コストを低減することができると共に、組み付け作業を容易にすることができるスライド操作型電気部品を提供することを目的とする。
【課題を解決するための手段】
【０００５】
本発明のスライド操作型電気部品は、収納部を有するハウジングと、前記収納部内に配置され、係合突起を設けた一対の弾性片を有する弾性手段と、前記収納部内にスライド移動可能に保持されると共に、前記一対の弾性片の係合突起に係脱する一対の係脱部を有するスライダとを備え、前記スライダのスライド移動時に前記係合突起と前記係脱部とが係脱してクリックを発生させるスライド操作型電気部品において、前記弾性手段は、前記一対の弾性片の両端部を連結して構成されたことを特徴とする。
【０００６】
この構成によれば、一対の弾性片の両端部が連結されているため、一対の弾性片を個々に組み付けることなく、同時に組み付けることができる。したがって、部品点数を減らして生産コストを低減することができると共に、組み付け作業を容易にすることができる。
【０００７】
また本発明は、上記スライド操作型電気部品において、前記一対の弾性片の両端部は、断面Ｕ字状に連結され、前記ハウジングは、前記一対の弾性片の両端部が係合される突部を設けたことを特徴とする。
【０００８】
この構成によれば、一対の弾性片の両端部がハウジングに設けられた突部に係合することにより、一対の弾性片をハウジングの収納部に位置決めして収納することができる。
【０００９】
また本発明は、上記スライド操作型電気部品において、前記スライダは、スライド移動方向に延在する凹部を有し、前記一対の弾性片は、前記凹部の内側に配置されたことを特徴とする。
【００１０】
この構成によれば、一対の弾性片がスライダの凹部の内側に配置されるため、部品構成を小型化することができるとともに、組み付け性を向上させることができる。
【００１１】
また本発明は、上記スライド操作型電気部品において、前記一対の係脱部は、前記凹部の内壁にスライド移動方向に所定間隔を空けて設けられた一対の係合凹部を有し、前記一対の弾性片は、前記係合突起をそれぞれ前記内壁側に向けて配置されたことを特徴とする。
【００１２】
この構成によれば、一対の弾性片が係合突起を凹部の内壁側に向けて配置されるため、組み付け時に、係合突起を係合凹部に係合させることにより、スライダのガタツキを防止することができる。
【００１３】
また本発明は、上記スライド操作型電気部品において、前記一対の弾性片は金属製であり、前記一対の係脱部は、前記一対の係合凹部の間に配設された金属製の補強板を有することを特徴とする。
【００１４】
この構成によれば、金属製の一対の弾性片と金属製の補強板とが係脱するため、スライダのスライド移動時の係脱部分が金属同士となり、耐久性を向上させることができる。
【００１５】
また本発明は、上記スライド操作型電気部品において、前記凹部の内側に配置された一対の弾性片は、スライド移動方向に延在し、前記一対の弾性片の底面は、中間部が両端部よりも高い位置にあることを特徴とする。
【００１６】
この構成によれば、一対の補助用弾性片の底面の中間部が両端部よりも高い位置にあるため、一対の補助用弾性片の中間部がスライダの凹部の内底面よりも高い位置となるように一対の補助用弾性片を配置すれば、補助用弾性片の底面がスライダのスライド移動を妨げることがない。
【００１７】
また本発明は、上記スライド操作型電気部品において、前記ハウジングは、箱型形状に形成され、前記ハウジングの側壁には、前記一対の弾性片の端部近傍に切欠き部が形成されていることを特徴とする。
【００１８】
この構成によれば、一対の弾性片の両端部から製造過程で取り残されたバリが突出していても、切欠き部にバリが収納されるため、バリを気にすることなくハウジングに一対の弾性片を収納することができる。
【００１９】
また本発明は、上記スライド操作型電気部品において、前記一対の弾性片は、金属板が環状に打ち抜き加工された後、板面同士を対向するように折り曲げ加工されて形成されることを特徴とする。
【００２０】
この構成によれば、両端部が連結した一対の弾性片を容易に製造することができる。
【００２１】
また本発明は、上記スライド操作型電気部品において、前記一対の弾性片の前記係合突起の裏側に、前記一対の弾性片に弾性力を付与する一対の補助用弾性片を有する補助弾性手段を備え、前記一対の補助用弾性片の両端部が連結されたこと特徴とする。
【００２２】
この構成によれば、一対の補助用弾性片により一対の弾性片に弾性力が付加されるので、スライダのスライド移動時のクリック感を向上させることができる。また、一対の補助用弾性片の両端部が連結されているため、一対の補助用弾性片を個々に組み付けることなく、同時に組み付けることができる。したがって、部品点数を減らして生産コストを低減することができると共に、組み付け作業を容易にすることができる。
【００２３】
また本発明の他のスライド操作型電気部品は、上面が開口された有底箱形状のケースと前記ケースの開口に装着されて収納部を形成するカバーとを有するハウジングと、前記収納部内にスライド移動可能に保持されると共に、スライド移動方向に延在する凹部を有するスライダと、スライド移動方向に延在し、底面の中間部が両端部よりも高い位置となるように形成され、係合突起を設けた一対の弾性片を有する弾性手段と、前記一対の弾性片の前記係合突起の裏側に、前記一対の弾性片に弾性力を付与する一対の補助用弾性片を有する補助弾性手段とを備え、前記凹部の内壁には前記一対の弾性片の係合突起に係脱する一対の係脱部が設けられており、前記スライダのスライド移動時に前記係合突起と前記係脱部とが係脱してクリックを発生させるスライド操作型電気部品において、前記ケースの収納部に前記凹部を前記開口に向けた状態で前記スライダが載置され、前記一対の補助用弾性片の両端部は、断面Ｕ字状に連結され、前記ケースに設けられた突部に嵌合されて、前記一対の補助用弾性片が前記スライダの前記凹部の上方をスライド移動方向に横断するように配置され、前記一対の弾性片の両端部は、断面Ｕ字状に連結され、前記一対の弾性片が前記一対の補助用弾性片を挟み込むようにして、前記スライダの前記凹部の上方をスライド移動方向に横断するように配置され、前記収納部に前記スライダ、前記一対の補助用弾性片および前記一対の弾性片が収納された状態で、前記カバーが前記ケースに装着されることを特徴とする。
【００２４】
この構成によれば、ケースの収納部にスライダが載置され、一対の補助用弾性片は、ケースに設けられた突部に上方から嵌合することによりスライダの凹部の上方を横断するようにケース上に位置決めされて載置され、一対の弾性片は、一対の補助用弾性片を挟み込むことによりスライダの凹部の上方を横断するようにケース上に位置決めされて載置され、スライダ、一対の補助用弾性片、一対の弾性片が載置された状態でカバーがケースに装着されるため、ケースに対して一対の補助用弾性片と一対の弾性片とを位置決めした状態で組み付け作業を容易にすることができる。
【発明の効果】
【００２５】
本発明によれば、生産コストを低減することができると共に、組み付け作業を容易にすることができる。
【発明を実施するための最良の形態】
【００２６】
以下、本発明の第１の実施の形態について添付図面を参照して詳細に説明する。図１は、本発明の第１の実施の形態に係る上部を開放したスライド操作型電気部品の全体斜視図である。図２は、本発明の第１の実施の形態に係るスライド操作型電気部品の分解斜視図である。
【００２７】
図１および図２に示すように、スライド操作型電気部品１は、音楽プレーヤ等の図示しない基板に取り付けられて使用されるものであり、上面が開口されたケース２と、ケース２の開口に装着されて収納部を形成するカバー３と、操作部３４を有し、収納部にスライド移動可能に収納されるスライダ４と、スライダ４にクリック感を与えるクリックバネ５と、クリックバネ５の弾性力を補助する補助バネ６とを備えて構成されている。
【００２８】
ケース２は、上面が開口された直方体の箱形に形成され、スライダ４をスライド移動可能に保持している。ケース２の短手方向の両端部に位置する両側壁１１、１２は、スライダ４を両側からガイドしており、両側壁１１、１２のうち一方の側壁１１にはケース２外に操作部３４を露出させる凹部１５が形成されている。凹部１５は、側壁１１の長手方向に延在しており、スライダ４のスライド移動にともなう操作部３４の移動を許容している。また、両側壁１１、１２の長手方向の両端部には、カバー３を係止する係止突起１６が外面から外側に突出して形成されており、ケース２の四隅でカバー３を固定している。
【００２９】
ケース２の内底面には、長手方向の両端部に上方に向けて突出する一対の突部１７が形成され、この突部１７によりクリックバネ５および補助バネ６が前後左右に位置決めされてケース２の内底面に載置される。また、長手方向の両端部に位置する両側壁１３、１４には、切欠き部１８が形成されており、切欠き部１８の下面と突部１７の上面とが面一に連なっている。
【００３０】
また、ケース２には、長手方向に３つの端子２１、２２、２３が取り付けられており、端子２１、２２、２３の一端側がケース２内に露出され、端子２１、２２、２３の他端側がケース２外に露出される。中央に位置する端子２１の一端側は、ケース２内で２つに分岐しており、端子２１、２２、２３の接点部２５、２６、２７、２８が、側壁１２の内面に沿って長手方向に所定の間隔を空けて配置される（図３参照）。
【００３１】
スライダ４は、スライダ本体３１と、スライダ本体３１に連なる操作部３４と、スライダ本体３１および操作部３４に組み付けられた補強部材３２と、スライダ本体３１に取り付けられた摺動子３３とから構成されている。スライダ本体３１は、スライド移動方向に平行に延在する一対の摺動壁部３５、３６と、一対の摺動壁部３５、３６の下部同士を接続する平板部３７とを有し、一対の摺動壁部３５、３６と平板部３７とにより下方に凹となる凹部３８がスライド移動方向に延在するようになっている。
【００３２】
また、凹部３８を形成する一対の摺動壁部３５、３６の対向面にはスライド移動方向に所定の間隔を空けて一対の係合凹部４１、４２がそれぞれ形成されており、この係合凹部４１、４２によりスライダ本体３１の停止位置が規定される。また、平板部３７のスライド移動方向の両端部は、一対の摺動壁部３５、３６の両端部よりも内側になるように形成されており、一対の摺動壁部３５、３６がケース２の側壁１３、１４に当接したときに平板部３７が一対の突部１７に当接するのが防止される。
【００３３】
操作部３４は、摺動壁部３５に接続され、ケース２の側壁１１に形成された凹部１５を介してケース２外に露出される。補強部材３２は、金属板で形成され、操作部３４を補強するアーム板４５とアーム板４５に連なりスライダ本体３１を補強する断面Ｕ字状の補強板４６とから構成されている。補強部材３２は、アーム板４５が操作部３４内に挿入されると共に、補強板４６の対向壁の一部がスライダ本体３１の一対の係合凹部４１、４２の間から露出するように組み付けられる。なお、本実施の形態では、一対の係合凹部４１、４２と、補強板４６とにより請求項に記載の係脱部を形成している。
【００３４】
摺動子３３は、導電性材料でスライド移動方向に延在するように形成されており、両端部には一対の摺動接点部４７、４８が形成されている。摺動子３３の中央部は、下部の一部が切り欠かれ、上部の一部が上方に突出するように形成されており、摺動壁部３６の外面に形成された摺動子３３の中央部の外形と相補形状に形成された取付溝５１に取り付けられる。
【００３５】
補助バネ６は、打ち抜き加工により環状に抜き出された金属板を折り曲げて形成され、スライド移動方向に平行に延在する一対の補助用板バネ部５３の板面を対向させた状態で両端部を断面Ｕ字状に連結して構成されている。また、補助バネ６は、クリックバネ５よりも厚みのある金属板で形成されており、クリックバネ５に強い弾性力を付加している。一対の補助用板バネ部５３の間隔は、ケース２の長手方向両端部に形成された一対の突部１７と同幅となっており、補助バネ６は両端部を一対の突部１７に嵌合させてケース２の内底面に載置される。このとき、一対の補助用板バネ部５３の連結部分には、製造過程で取り残されたバリ５４が延在方向に突出しているが、ケース２の長手方向に位置する側壁１３、１４に形成された切欠き部１８に収納される。
【００３６】
一対の補助用板バネ部５３の底面は、中間部が両端部よりも高い位置に位置しており、スライダ４の平板部３７の上方を横断するように中間部を浮かした状態でケース２の内底面に載置される。一対の補助用板バネ部５３の中間部の下方には、スライダ４の平板部３７が位置しており、一対の補助用板バネ部５３の中間部の底面の高さは、平板部３７の上面に接触しない高さとなっている。
【００３７】
クリックバネ５は、補助バネ６と同様な金属板で、打ち抜き加工により環状に抜き出された金属板を折り曲げて形成され、スライド移動方向に平行に延在する一対の板バネ部５６の板面を対向させた状態で両端部を断面Ｕ字状に連結して構成されている。また、一対の板バネ部５６の中間部には、係合突起５７が外向きに形成されており、係合突起５７はスライダ４のスライド移動時に一対の摺動壁部３５、３６の対向面に形成された係脱部と係脱するようになっている。
【００３８】
クリックバネ５の一対の板バネ部５６の間隔は、補助バネ６よりも幅広であり、クリックバネ５は一対の板バネ部５６により補助バネ６および一対の突部１７を挟み込むようにしてケース２の内底面に載置される。これにより、クリックバネ５が撓むと補助バネ６により内側から弾性力が補助される。また、このとき、一対の板バネ部５６の連結部分は、一対の補助用板バネ部５３の連結部分の上部を覆っており、この連結部分には製造過程で取り残されたバリ５８が延在方向に突出しているが、ケース２の長手方向に位置する側壁１３、１４に形成された切欠き部１８に収納される。
【００３９】
一対の板バネ部５６の底面は、中間部が両端部よりも高い位置に位置しており、スライダ４の平板部３７の上方を横断するように中間部を浮かした状態でケース２の内底面に載置される。このとき、一対の板バネ部５６の中間部の下方には、スライダ４の平板部３７が位置しており、一対の板バネ部５６の中間部の底面の高さは、平板部３７の上面に接触しない高さとなっている。このように、クリックバネ５および補助バネ６の低面がスライダ４の平板部３７に接触しないため、摩擦によりスライダ４のスライド移動が妨げられることが防止される。
【００４０】
そして、クリックバネ５は、内側に補助バネ６を位置させた状態で、スライダ４のスライド移動時に一対の板バネ部５６の係合突起５７が、摺動壁部３５に露出した補強板４６を介して一対の係合凹部４１、４２間を相対移動することによりクリック感を発生させている。
【００４１】
カバー３は、ケース２の上部に装着され、ケース２と共にスライダ４を収納する収納部を形成している。カバー３の四隅には、係止孔６１が形成されており、係止孔６１がケース２の四隅に形成された係止突起１６に係止されてカバー３がケース２の上面に装着される。また、カバー３の長手方向の両端部には、開口部６２が形成されており、この開口部６２からクリックバネ５の両端部の連結部分が露出する。これにより、カバー３およびケース２を薄く形成することが可能となる。
【００４２】
ここで、図２を参照して、本発明の第１の実施の形態に係るスライド操作型電気部品の組み付け手順について説明する。なお、ケース２には複数の端子２１、２２、２３が既に取り付けられ、スライダ４には補強部材３２および摺動子３３が既に取り付けられているものとする。
【００４３】
まず、スライダ４の凹部３８を上方に向けた状態で、スライダ４の一対の摺動壁部３５、３６をケース２の側面１１、１２の内面に沿わせてスライダ４をケース２の内底面に載置する。このとき、操作部３４がケース２の凹部１５を介して外部に突出されると共に、摺動子３３の摺動接点部４７、４８がケース２の側壁１２に接触する。
次に、補助バネ６を、スライダ４の凹部３８の延在方向に沿ってスライダ４を横断させると共に、両端部をケース２の一対の突部１７に嵌合させてケース２の内底面に載置する。
【００４４】
次に、クリックバネ５を、スライダ４の凹部３８の延在方向に沿ってスライダ４を横断させると共に、補助バネ６を左右から挟み込むようにしてケース２の内底面に載置する。このとき、一対の板バネ部５６の係合突起５７は、スライダ４の一対の摺動壁部３５、３６の対向面に形成された係合凹部４１、４２のいずれかに係合されることで、スライダ４のガタツキが防止される。
【００４５】
そして、カバー３の四隅に形成された係止孔６１を、ケース２の四隅に形成された係止突起１６に係止し、カバー３をケース２に装着する。このように、スライド操作型電気部品１は、ケース２に対し、スライダ４、補助バネ６、クリックバネ５、カバー３を下から順に載置するだけで、簡易に組み付けることが可能となっている。
【００４６】
次に、図３を参照して、スライド操作型電気部品の切換動作について説明する。図３は、上部を開放したスライド操作型電気部品を上面模式図である。
【００４７】
図３に示すように、スライダ４が図示右側に位置している場合には、摺動子３３の摺動接点部４７、４８が端子２２、２３の接点部２６、２８に接触しており、図示左側に位置する係合凹部４１がクリックバネ５の係合突起５７に接触している。このとき、クリックバネ５とクリックバネ５の内側に位置する補助バネ６との間に僅かに隙間が形成されており、クリックバネ５に補助バネ６から弾性力が補助されていない。
【００４８】
この状態から、操作部３４を用いてスライダ４を図示左側にスライド移動させると、摺動子３３の摺動接点部４７、４８が端子２２、２３の接点部２６、２８から外れ始め、係合突起５７が係合凹部４１に沿って押圧され、クリックバネ５が内側に撓んで補助バネ６に接触し始める。そして、スライダ４がケース２の長手方向の中間位置にスライド移動すると、摺動子３３の摺動接点部４７、４８が端子２２、２３の接点部２６、２８から完全に外れ、クリックバネ５および補助バネ６が弾性力に抗して内側に大きく撓んで係合突起５７が補強板４６に乗り上げる。
【００４９】
さらに、スライダ４が図示左側にスライド移動すると、摺動子３３の摺動接点部４７、４８が端子２１、２２の接点部２５、２７に接触し始め、係合突起５７が補強板４６から降り、クリックバネ５および補助バネ６が弾性力により外側に押し戻される。そして、スライダ４が図示左側に到達すると、摺動子３３の摺動接点部４７、４８が端子２１、２２の接点部２５、２７に完全に接触し、図示右側に位置する係合凹部４２がクリックバネ５の係合突起５７に接触する。このとき、クリックバネ５および補助バネ６は、弾性力により完全に押し戻され、クリックバネ５と補助バネ６との間に僅かな隙間が形成される。このように、クリックバネ５に対して補助バネ６により弾性力が付加されるため、スライダ４のスライド移動時に強いクリック感が得られるようになっている。
【００５０】
また、クリックバネ５の係合突起５７および補強板４６が共に金属製であるため、スライダのスライド移動時の係脱部分が金属同士となり、耐久性を向上させることが可能となる。
【００５１】
以上のように、本実施の形態に係るスライド操作型電気部品１によれば、一対の板バネ部５６の両端部が連結されているため、一対の板バネ部５６を個々に組み付けることなく、同時に組み付けることができる。したがって、部品点数を減らして生産コストを低減することができると共に、組み付け作業を容易にすることができる。
【００５２】
次に、本発明の第２の実施の形態について説明する。本発明の第２の実施の形態に係るスライド操作型電気部品は、上述した第１の実施の形態に係るスライド操作型電気部品と組み付け順序が異なることについてのみ相違する。したがって、特に相違点についてのみ説明する。
【００５３】
図４は、本発明の第２の実施の形態に係る上部を開放したスライド操作型電気部品の全体斜視図である。図５は、本発明の第２の実施の形態に係るスライド操作型電気部品の分解斜視図である。
【００５４】
図４および図５に示すように、補助バネ７６およびクリックバネ７５は、底面が面一に形成されており、補助バネ７６およびクリックバネ７５の底面が延在方向に亘ってケース７２の内底面に接触している。このように、補助バネ７６およびクリックバネ７５の底面を面一に形成したため、補助バネ７６およびクリックバネ７５の構成を単純化することが可能となる。
【００５５】
スライダ７４は、凹部８９を下方に向けた状態でケース７２にスライド移動可能に収納され、凹部８９の上面は、補助バネ７６およびクリックバネ７５の上面の上方に位置している。このように、凹部８９の上面が、クリックバネ７５および補助バネ７６の上面に接触しないため、摩擦によりスライダ７４のスライド移動が妨げられることが防止される。
【００５６】
ここで、図５を参照して、本発明の第２の実施の形態に係るスライド操作型電気部品の組み付け手順について説明する。なお、ケース７２には複数の端子８１、８２、８３が既に取り付けられ、スライダ７４には図示しない補強部材および摺動子が既に取り付けられているものとする。
【００５７】
まず、補助バネ７６の両端部をケース７２の一対の突部９７に嵌合させて、補助バネ７６をケース２の内底面に位置決めして載置する。
次に、クリックバネ７５を、補助バネ７６を左右から挟み込むようにしてケース７２の内底面に載置する。
【００５８】
次に、スライダ７４の凹部８９を下方に向けた状態で、スライダ７４の一対の摺動壁部８５、８６をケース７２の側面９１、９２の内面に沿わせてスライダ７４をケース７２の内底面に載置する。このとき、操作部８８がケース７２の凹部９６を介して外部に突出されると共に、摺動子の摺動接点部がケース７２の側壁９２に接触する。また、凹部８９の内側にクリックバネ７５および補助バネ７６が配置され、一対の板バネ部１０１の係合突起１０２がスライダ７４の一対の摺動壁部８５、８６の対向面に形成された図示しない係合凹部に係合されて、スライダ７４のガタツキが防止される。
【００５９】
そして、カバー７３の四隅に形成された係止孔１０６を、ケース７２の四隅に形成された係止突起９９に係止し、カバー７３をケース７２に装着する。このように、スライド操作型電気部品７１は、ケース７２に対し、補助バネ７６、クリックバネ７５、スライダ７４、カバー７３を下から順に載置するだけで、簡易に組み付けることが可能となっている。
【００６０】
以上のように、本実施の形態に係るスライド操作型電気部品７１によれば、ケース７２に補助バネ７６およびクリックバネ７５を載置した後に、上方からスライダ７４を載置しているため、補助バネ７６およびクリックバネ７５の底面を面一に形成することができ、補助バネ７６およびクリックバネ７５の構成を単純化することが可能となる。
【００６１】
なお、図６に示すスライド操作型電気部品１１１のように操作部１１２が上方に向けて延在する構成としてもよい。この場合、カバー１１３に切欠き部１１７を形成して、操作部１１２をスライダ本体１１４の上面から切欠き部１１７を介して上方に突出するように形成する。この構成により、カバー１１３の上面に対して垂直方向に操作部１１２を設けることが可能となる。
【００６２】
また、上記した各実施の形態においては、一対の板バネ部の両端部を連結してクリックバネを構成したが、一対の板バネ部の少なくとも一部を連結してクリックバネを構成してもよく、例えば、一対の板バネ部の片端部を連結してクリックバネを構成してもよい。同様に、一対の補助用板バネ部の少なくとも一部を連結して補助バネを構成してもよい。
【００６３】
また、上記した各実施の形態においては、クリックバネおよび補助バネのバリを収納する切欠き部をケースの側面に形成したが、この切欠き部をカバーの側面に形成してもよい。
【００６４】
また、上記した各実施の形態においては、補助バネの板厚をクリックバネの板厚よりも厚く形成したが、補助バネの板厚をクリックバネの板厚よりも薄く形成してもよいし、同一の厚みとしてもよい。
【００６５】
また、上記した各実施の形態においては、クリックバネおよび補強板を金属製としたが、耐摩擦性を有する強化プラスチックにより構成してもよい。また、クリックバネと補助バネとを同一の金属製としたが、異なる材質で形成してもよい。
【００６６】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００６７】
以上説明したように、本発明は、生産コストを低減することができると共に、組み付け作業を容易にすることができるという効果を有し、特に音楽プレーヤや携帯電話等の携帯機器に搭載されるスライド操作型電気部品に有用である。
【図面の簡単な説明】
【００６８】
【図１】本発明に係るスライド操作型電気部品の第１の実施の形態を示す図であり、上部を開放したスライド操作型電気部品の全体斜視図である。
【図２】本発明に係るスライド操作型電気部品の第１の実施の形態を示す図であり、スライド操作型電気部品の分解斜視図である。
【図３】本発明に係るスライド操作型電気部品の第１の実施の形態を示す図であり、上部を開放したスライド操作型電気部品を上面模式図である。
【図４】本発明に係るスライド操作型電気部品の第２の実施の形態を示す図であり、上部を開放したスライド操作型電気部品の全体斜視図である。
【図５】本発明に係るスライド操作型電気部品の第２の実施の形態を示す図であり、スライド操作型電気部品の分解斜視図である。
【図６】本発明に係るスライド操作型電気部品の変形例を示す図である。
【符号の説明】
【００６９】
１  スライド操作型電気部品
２  ケース（ハウジング）
３  カバー（ハウジング）
４  スライダ
５  クリックバネ（弾性手段）
６  補助バネ（補助弾性手段）
３１  スライダ本体
３２  補強部材
３４  操作部
３５、３６  摺動壁部
３７  平板部
３８  凹部
４１  係合凹部
４５  アーム板
４６  補強板
５３  補助用板バネ部（補助用弾性片）
５６  板バネ部（弾性片）
５７  係合突起
【図１】
2010033844.tif 000003
【図２】
2010033844.tif 000004
【図３】
2010033844.tif 000005
【図４】
2010033844.tif 000006
【図５】
2010033844.tif 000007
【図６】
2010033844.tif 000008